(57)【特許請求の範囲】
【請求項１】
軸筒の後端部に、クリップを一体又は付設するとともに、前記軸筒内に複数の筆記体を配設し、各筆記体の後部に摺動体を着脱自在に連接し、前記摺動体を弾発部材により軸筒後端方向に付勢して配設するとともに、一方の摺動体の隆起部を操作し、前記一方の摺動体を軸筒の先端開口部方向に前進、且つ前記軸筒の軸心側に移動することにより、一方の摺動体に連接した一方の筆記体の筆記先端部を軸筒の先端開口部から突出した状態を維持し、他方の摺動体の隆起部を操作し、他の摺動体を軸筒先端方向に前進せしめることで、一方の筆記体の筆記先端部を軸筒の先端開口部より没入可能な、筆記先端部を選択して出没可能なスライド式の多芯筆記具であって、前記一方及び他方の摺動体の形状を共通化するとともに、前記クリップに、前記軸筒の軸心方向に沿って延び、内外を連通するスライド孔又はスリットを形成し、前記一方の摺動体の隆起部を前記スライド孔又はスリットからクリップの表面よりも外方に突出し、前記スライド孔又はスリット内に移動可能に配設したことを特徴とするスライド式の多芯筆記具。
【請求項２】
前記スライド孔又はスリットを設けたクリップの表面が、前記軸筒の後端側から軸筒の先端開口部方向に向かって前記軸筒の軸心側に傾斜していることを特徴とする請求項１に記載のスライド式の多芯筆記具。
【請求項３】
前記一方の筆記体の筆記先端部を軸筒の先端開口部から突出した状態で、前記一方の摺動体の隆起部が、前記クリップの先端近傍に位置することを特徴とする請求項１または２に記載のスライド式の多芯筆記具。
【発明の詳細な説明】
【技術分野】
【０００１】
本発明は、軸筒内に複数の筆記体を配設したスライド式の多芯筆記具に関する。
【背景技術】
【０００２】
従来から、スライド式の多芯筆記具として、例えば、摺動溝から突出した一方の摺動体の隆起部を操作し、摺動体を軸筒の先端開口部方向に前進、且つ軸筒の軸心側に移動することにより、摺動体の後端部に形成した係止部を軸筒に形成した止め部に係止して、筆記体の筆記先端部を先端開口部から突出した状態を維持し、他方の摺動体を軸筒の先端開口部方向に前進せしめることで、他方の摺動体の解除突起が一方の摺動体に当接するとともに、止め部に係止していた一方の摺動体の係止部を係脱させ、一方の筆記先端部を先端開口部より没入させ、さらに他方の摺動体を前進、且つ軸筒の軸心側に移動することにより他方の係止部が止め部に係止して筆記体の筆記先端部の突出状態を維持する、筆記先端部を選択して出没可能な出没機構を有する、ボールペンレフィル等、複数の筆記体を軸筒内に収容した構造のスライド式の多芯筆記具は良く知られている。
【０００３】
こうしたスライド式の多芯筆記具において、特に３本以上の筆記体を収容した多芯筆記具においては、実開昭６１−１４０８８７号公報「ノック式筆記具」等、摺動体の一つにクリップを付設し、このクリップを操作することで、筆記体を突出可能とした多芯筆記具が開示されている。
【０００４】
また、実開平２−６５５９１号公報「ボールペン」では、摺動体とクリップを一体に形成した構造の多芯筆記具が開示されている。
【特許文献１】実開昭６１−１４０８８７号公報
【特許文献２】実開平２−６５５９１号公報
【発明の開示】
【発明が解決しようとする課題】
【０００５】
しかし、特許文献１のように、クリップに連接する摺動体は、他の摺動体と異なる形状となるため、樹脂製であれば、新たな金型の作成が必要となる等、コストが高騰する問題があった。また、多芯筆記具においてクリップを操作すると、操作時に手等に当たり、操作しにくくなることもあった。
【０００６】
また、特許文献２のように、摺動体とクリップを一体に形成することで、部品点数は減少するが、スライド式の多芯筆記具は、摺動体が摺動溝から脱落しないように、軸筒内側から隆起部やクリップを摺動溝から突出するように摺動体を組み込む必要があるため、軸筒内に配設し難く、組立性に問題があった。
【０００７】
本発明の目的は、上述した従来の問題点等に鑑み、構造が簡単で、且つ出没操作し易い、クリップを有するスライド式の多芯筆記具を提供することである。
【課題を解決するための手段】
【０００８】
本発明は、軸筒の後端部に、クリップを一体又は付設するとともに、前記軸筒内に複数の筆記体を配設し、各筆記体の後部に摺動体を着脱自在に連接し、前記摺動体を弾発部材により軸筒後端方向に付勢して配設するとともに、一方の摺動体の隆起部を操作し、前記一方の摺動体を軸筒の先端開口部方向に前進、且つ前記軸筒の軸心側に移動することにより、一方の摺動体に連接した一方の筆記体の筆記先端部を軸筒の先端開口部から突出した状態を維持し、他方の摺動体の隆起部を操作し、他の摺動体を軸筒先端方向に前進せしめることで、一方の筆記体の筆記先端部を軸筒の先端開口部より没入可能な、筆記先端部を選択して出没可能なスライド式の多芯筆記具であって、前記クリップに、前記軸筒の軸心方向に沿って延び、内外を連通するスライド孔又はスリットを形成し、前記一方の摺動体の隆起部を前記スライド孔又はスリットからクリップの表面よりも外方に突出し、前記スライド孔又はスリット内に移動可能に配設したことを特徴とする。
【０００９】
本発明は、軸筒の後端部に、クリップを一体又は付設するとともに、前記軸筒内に複数の筆記体を配設し、各筆記体の後部に摺動体を着脱自在に連接し、前記摺動体を弾発部材により軸筒後端方向に付勢して配設するとともに、一方の摺動体の隆起部を操作し、前記一方の摺動体を軸筒の先端開口部方向に前進、且つ前記軸筒の軸心側に移動することにより、一方の摺動体に連接した一方の筆記体の筆記先端部を軸筒の先端開口部から突出した状態を維持し、他方の摺動体の隆起部を操作し、他の摺動体を軸筒先端方向に前進せしめることで、一方の筆記体の筆記先端部を軸筒の先端開口部より没入可能な、筆記先端部を選択して出没可能なスライド式の多芯筆記具であって、前記一方及び他方の摺動体の形状を共通化するとともに、前記クリップに、前記軸筒の軸心方向に沿って延び、内外を連通するスライド孔又はスリットを形成し、前記一方の摺動体の隆起部を前記スライド孔又はスリットからクリップの表面よりも外方に突出し、前記スライド孔又はスリット内に移動可能に配設したことを特徴とする。
【００１０】
また、前記スライド孔又はスリットを設けたクリップの表面が、前記軸筒の後端側から軸筒の先端開口部方向に向かって前記軸筒の軸心側に傾斜していることを特徴とする。
【００１１】
本願発明の構成によれば、前記クリップに、前記軸筒の軸心方向に沿って延びるスライド孔又はスリットを形成し、前記一方の摺動体の隆起部を前記スライド孔又はスリットからクリップの表面よりも外方に突出し、前記スライド孔又はスリット内に移動可能に配設するするため、全ての摺動体の形状を共通化することができる。また、クリップの配設位置や形状などに影響することなく、摺動体を配設することが可能となる。
【００１２】
また、前記クリップの表面が、前記軸筒の後端側から軸筒の先端開口部方向に向かって前記軸筒の軸心側に傾斜することにより、一方の摺動体の操作をスムーズに行うことができる。これは、隆起部の操作は、軸筒の先端開口部側の移動と、軸心側への移動によって、筆記体の突出を維持するため、この隆起部の軸心側への移動し易くするためである。
【００１３】
さらに、前記一方の摺動体の隆起部が、前記一方の筆記体の筆記先端部を軸筒の先端開口部から突出した状態で、前記クリップの先端近傍に位置することで、一方の筆記体が突出した状態では、クリップにポケットなどを挟持し難くすることができる。
【発明の効果】
【００１４】
本発明は、構造が簡単で、且つ出没操作し易い、クリップを有するスライド式の多芯筆記具を提供することができた。
【図面の簡単な説明】
【００１５】
【図１】実施例１におけるスライド式の多芯筆記具を示す縦断面図である。
【図２】図１における一方の筆記体の筆記先端部が突出した状態を示す図である。
【図３】図１における他方の筆記体の筆記先端部が突出した状態を示す図である。
【図４】図１におけるＡ−Ａ断面図である。
【図５】図１における、一部省略した要部拡大断面図である。
【図６】図２における、一部省略した要部拡大断面図である。
【発明を実施するための形態】
【００１６】
以下、図面を参照して本発明の実施例を説明する。尚、図面中同じ部材、同じ部品については同じ番号を付してある。
【００１７】
実施例１
図１から図６に示す、スライド式の多芯筆記具１は、前軸２と後軸３を螺着して軸筒本体を構成し、後軸３内に配設した摺動体５、６の隆起部５ａ、６ａを、後軸３の開口部３ａから外部に露出して配設してある。各摺動体には、インキ色の異なるボールペン体１０、１３を２本、コイルスプリング８、９により後方に付勢させて摺動可能に連接してある、従来から知られている出没機構のスライド式の多芯筆記具である。また、後軸３の内部には、ボールペン体１０、１３を区画して配設する区画部材４、後軸３の後端部にはクリップ７を付設してある。
【００１８】
ボールペン体１０、１３について詳述すると、ボールペン体１０、１３は、インキ収容筒１１、１４の先端部に、ボールを回転自在に抱持したボールペンチップからなる筆記先端部１２、１５を装着し、インキ収容筒１１、１４内に黒と赤の油性ボールペン用インキ（図示せず）を直に収容した筆記体である。
【００１９】
一方の摺動体５の隆起部５ａは、クリップ７に設けた、内外を連通するスライド孔７ａを通過し、クリップ７の表面から外方に突出し、スライド孔７ａ内を移動可能に配設してある。また、クリップ７の表面は、後軸３側から前軸の先端開口部２ａ方向に向かって、軸心Ｊ側に傾斜している。
【００２０】
一方のボールペン体１０の筆記先端部１２を前軸２の先端開口部２ａから突出させるには、隆起部５ａを操作し、摺動体５を前軸の先端開口部２ａ方向へ前進、且つ軸心Ｊ側に移動することにより、摺動体５の係合突起５ｂが後軸３内に形成した係止部３ｂに係止して、一方のボールペン体１０の筆記先端部１２を軸筒の先端開口部２ａから選択して突出を維持することができる。この時、クリップ７の表面が、後軸３側から前軸の先端開口部２ａ方向に向かって、軸心Ｊ側に傾斜しているため、摺動体５をスムーズに移動することができ、且つ隆起部５ａのクリップ７からの突出量Ｌ１、Ｌ２を大きくすることなく実現できる。
【００２１】
また、一方のボールペン体１０の筆記先端部１２を前軸の先端開口部２ａから選択して突出を維持した状態で、摺動体５の隆起部５ａが、クリップ７の先端近傍に位置するため、この状態において、ポケット（図示せず）にクリップを挟持し難くする。
【００２２】
また、一方のボールペン体１０の筆記先端部１２を前軸の先端開口部２ａから突出した状態で、他方の摺動体６の隆起部６ａを操作し、他方の摺動体６を前軸の先端開口部２ａ方向に前進することで、摺動体６の解除突起６ｃが摺動体５の係合突起５ｂの係止を解除し、一方のボールペン体１０の筆記先端部１２を前軸２内に没入させることができる。さらに摺動体６を前軸の先端開口部２ａ方向へ前進、且つ軸心Ｊ側に移動することにより、ボールペン体１３の筆記先端部１５の突出状態を維持することができる。
【００２３】
尚、本実施例では、便宜上、前軸２、後軸３によって軸筒本体を構成しているが、前軸と後軸を一体に形成してもよい。また、クリップを軸筒に付設しているが、軸筒と一体に形成してあってもよい。
【００２４】
また、クリップにスライド孔を設けているが、摺動体の隆起部が移動可能であれば、クリップ先端面側が開口したスリットであってもよい。但し、クリップの強度低下を抑制できるのでスライド孔とすることが好ましい。
【産業上の利用可能性】
【００２５】
本発明のスライド式の多芯筆記具は、筆記体の数、筆記体に収容するインキ色、インキの種類等に限定されるものでなく、ボールペン３本や４本など、スライド式の多芯筆記具として広く利用可能である。
【符号の説明】
【００２６】
１  スライド式の多芯筆記具
２  前軸
２ａ  先端開口部
３  後軸
３ａ  開口部
３ｂ  係止部
４  区画部材
５、６  摺動体
５ａ  隆起部
５ｂ、６ｂ  係止部
５ｃ、６ｃ  解除突起
７  クリップ
７ａ  スライド孔
８、９  コイルスプリング
１０、１３  ボールペン体
１１、１４  インキ収容筒
１２、１５  筆記先端部
Ｊ  軸心
【図１】
0005495751.tif 000002
【図２】
0005495751.tif 000003
【図３】
0005495751.tif 000004
【図４】
0005495751.tif 000005
【図５】
0005495751.tif 000006
【図６】
0005495751.tif 000007